(57)【特許請求の範囲】
【請求項１】
上下面、両端面、一側面、他側面から構成され、複数の隔壁によって分割されている貯水槽と、
前記複数の貯水槽に給水する給水口を前記上面近傍に備えた給水管と、
前記複数の貯水槽の水をそれぞれ排水できるドレインと、
前記複数の貯水槽内を貫通するように下面近傍に設けられているとともに、両端が塞がれた一本の直線状本管と、
前記各貯水槽における前記直線状本管に設けられ、それぞれの貯水槽の一側面の外面から開閉操作ができる開閉操作弁と、
前記直線状本管を介して給水するとともに、前記一側面と同じ外面で制御できるポンプと、
から少なくとも構成されていることを特徴とする複数の貯水槽からなる給水装置。
【請求項２】
前記開閉操作弁は、開閉状態が外部から判る部材で覆われていることを特徴とする請求項１に記載された複数の貯水槽からなる給水装置。
【請求項３】
前記開閉操作弁は、開閉状態が外部から判る目盛りが付けられていることを特徴とする請求項１または請求項２に記載された複数の貯水槽からなる給水装置。
【請求項４】
前記ポンプの本体は、少なくとも一つの貯水槽の内部に設けられていることを特徴とする請求項１から請求項３のいずれか１項に記載された複数の貯水槽からなる給水装置。
【請求項５】
前記ポンプの本体は、前記貯水槽の一側面の外面に設けられていることを特徴とする請求項１から請求項３のいずれか１項に記載された複数の貯水槽からなる給水装置。
【請求項６】
前記直線状本管は、それぞれの貯水槽における一側面の内側下面近傍に設けるとともに、前記給水管を他側面の上面近傍に設けることを特徴とする請求項１から請求項５のいずれか１項に記載された複数の貯水槽からなる給水装置。
【請求項７】
前記直線状本管は、それぞれの貯水槽における他側面の内側下面近傍に設けるとともに、前記給水管を一側面の上面近傍に設けることを特徴とする請求項１から請求項５のいずれか１項に記載された複数の貯水槽からなる給水装置。
【請求項８】
前記開閉操作弁および給水口は、立体的な対角関係に配置されていることを特徴とする請求項１から請求項７のいずれか１項に記載された複数の貯水槽からなる給水装置。
【発明の詳細な説明】
【技術分野】
【０００１】
本発明は、貯水槽に揚水を行ない、自動給水制御方式で各戸における蛇口、シャワー等に直接給水するための複数の貯水槽からなる給水装置に関するものである。
【背景技術】
【０００２】
たとえば、本出願人が提案した特開２０００−３１９９５０号公報には、複数の貯水槽の内部にそれぞれポンプが設置されている。前記ポンプは、貯水槽の水を貯水槽外に送水するように制御される。貯水槽の内部に配置された吸水主管は、貯水槽本体の外部から開閉弁を操作することにより、吸水を制御することができる。
【特許文献１】特開２０００−３１９９５０号公報
【発明の開示】
【発明が解決しようとする課題】
【０００３】
前記従来の複数の貯水槽からなる給水装置は、貯水槽内で配管が複雑であるだけでなく、貯水槽の一方の側面または他方の側面に開閉弁の操作ハンドル、あるいはポンプの制御部等が配置されている。これらの保守点検は、水槽を一周回らねばならず、時間と労力がかかるという問題を有した。また、前記従来例の給水装置は、吸水が平均に行われるようにするという配慮が無かった。さらに、従来例の給水装置は、貯水槽の両側面にポンプあるいは開閉弁の操作ハンドルがあり、貯水槽の設置面積や設置条件によって配置が困難な場合があった。
【０００４】
以上のように、本発明は、貯水槽内に、構造が簡単で、両端が塞がれた一本の直管からなる本管を配置し、前記本管に貯水槽外から操作できる開閉操作弁を設けることにより、前記諸問題を解決した複数の貯水槽からなる給水装置を提供することを目的とする。
【課題を解決するための手段】
【０００５】
（第１発明）
第１発明における複数の貯水槽からなる給水装置は、上下面、両端面、一側面、他側面から構成され、複数の隔壁によって分割されている貯水槽と、前記複数の貯水槽に給水する給水口を前記上面近傍に備えた給水管と、前記複数の貯水槽の水をそれぞれ排水できるドレインと、前記複数の貯水槽内を貫通するように下面近傍に設けられているとともに、両端が塞がれた一本の直線状本管と、前記各貯水槽における前記直線状本管に設けられ、それぞれの貯水槽の一側面の外面から開閉操作ができる開閉操作弁と、前記直線状本管を介して給水するとともに、前記一側面と同じ外面で制御できるポンプとから少なくとも構成されていることを特徴とする。
【０００６】
（第２発明）
第２発明における複数の貯水槽からなる給水装置において、第１発明の開閉操作弁は、開閉状態が外部から判る部材で覆われていることを特徴とする。
【０００７】
（第３発明）
第３発明における複数の貯水槽からなる給水装置において、第１発明または第２発明の開閉操作弁は、開閉状態が外部から判る目盛りが付けられていることを特徴とする。
【０００８】
（第４発明）
第４発明における複数の貯水槽からなる給水装置において、第１発明から第３発明のポンプの本体は、少なくとも一つの貯水槽の内部に設けられていることを特徴とする。
【０００９】
（第５発明）
第５発明における複数の貯水槽からなる給水装置において、第１発明から第３発明のポンプの本体は、前記貯水槽の一側外面に設けられていることを特徴とする。
【００１０】
（第６発明）
第６発明における複数の貯水槽からなる給水装置において、第１発明から第５発明の直線状本管は、それぞれの貯水槽における一側面の内側下面近傍に設けるとともに、前記給水管を他側面の上面近傍に設けることを特徴とする。
【００１１】
（第７発明）
第７発明における複数の貯水槽からなる給水装置において、第１発明から第５発明の直線状本管は、それぞれの貯水槽における他側面の内側下面近傍に設けるとともに、前記給水管を一側面の上面近傍に設けることを特徴とする請求項１から請求項５のいずれか１項に記載された。
【００１２】
（第８発明）
第８発明における複数の貯水槽からなる給水装置において、第１発明から第７発明の開閉操作弁および給水口は、立体的な対角関係に配置されていることを特徴とする。
【発明の効果】
【００１３】
本発明によれば、ポンプおよび開閉操作弁は、貯水槽の一側外面にのみ配置されているため、水槽の他側面を敷地の規定距離いっぱいに配置することができる。また、保守点検は、貯水槽の一側面だけを点検すれば良く、点検時間を短縮することができる。
【００１４】
本発明によれば、本管は、両端が塞がれている一本の直管から構成されているため、各貯水槽の水を平均して取水することができる。前記本管は、各貯水槽内を貫通して配置されているため、場所を取らないだけでなく、漏水を防止することができる。また、前記本管は、一本の直管から構成されているため、故障の心配がなく、保守点検が容易である。
【００１５】
本発明によれば、隔壁で分けられた貯水槽は、全貯水槽の水を全て抜くことなく、一つ一つの貯水部を空にして順次清掃することができる。
【００１６】
本発明によれば、開閉操作弁は、開閉状態が外部から判るような透明部材で覆われているため、貯水槽の点検がカバーを開けることなく、目視でき、迅速に点検することができる。
【００１７】
本発明によれば、開閉操作弁は、開閉状態が外部から判る目盛りが付けられているため、監視の際に、どのような状態になっているかの判断をハンドルの角度と目盛りにより容易に行うことができる。
【００１８】
本発明によれば、複数の貯水槽からなる給水装置は、開閉操作弁および給水口の位置が貯水槽内において、対角となる関係に配置されているため、水の循環が上手にでき、死水（滞留した水）を無くすことができる優れた構造となっている。
【発明を実施するための最良の形態】
【００１９】
（第１発明）
第１発明の複数の貯水槽からなる給水装置は、少なくとも一つの隔壁によって仕切られた複数の貯水槽と、前記複数の貯水槽に給水する給水口を備えた給水管と、前記複数の貯水槽の水をそれぞれ排水できるドレインとから構成されている。前記複数の貯水槽内には、前記複数の貯水槽の隔壁を貫通するように設けられているとともに、両端が塞がれた一本の直線状本管が配置されている。前記直線状本管は、それぞれの貯水槽の一側外面において、開閉操作ができる開閉操作弁が備えられている。また、前記給水装置は、上下面、両端面、一側面、他側面から構成され、複数の隔壁によって分割されている貯水槽を備えている。
【００２０】
また、前記直線状本管は、前記開閉操作弁により、それぞれの貯水槽の水を吸水する。ポンプは、前記一側面の外面に備えられ、前記直線状本管を介して給水できるように制御される。前記ポンプおよび開閉操作弁は、貯水槽の一側面の外面にのみ配置されているため、水槽の他側面を敷地の規定距離いっぱいに配置することができる。また、貯水槽の監視人は、一側面だけを点検すれば良く、点検時間を短縮できる。
【００２１】
前記直線状本管は、両端が塞がれているため、各貯水槽の水を平均して取水することができる。前記直線状本管は、各貯水槽内を貫通して配置されているため、場所を取らないだけでなく、漏水を防止することができる。また、前記直線状本管は、一本のパイプから構成されているため、故障の心配がなく、保守点検が容易である。さらに、隔壁で分けられた貯水槽は、全貯水槽の水を全て抜くことなく、一つ一つの槽を順次清掃することができる。
【００２２】
（第２発明）
第２発明の複数の貯水槽からなる給水装置における開閉操作弁は、開閉状態が外部から判るような透明部材で覆われている。前記透明部材は、開閉操作弁を操作するハンドルをカバーするものである。前記貯水槽の監視人は、カバーを開けることなく、前記開閉弁の状態が目視でき、迅速に点検することができる。
【００２３】
（第３発明）
第３発明の複数の貯水槽からなる給水装置における開閉操作弁は、開閉状態が外部から判る目盛りが付けられているため、監視の際に、どのような状態になっているかの判断をハンドルの角度と目盛りにより容易に行うことができる。たとえば、前記開閉操作弁は、所定の位置で、所定の吸水を行うようになっているか否かを前記ハンドルの角度と目盛りとの関係で目視できる。
【００２４】
（第４発明）
第４発明の複数の貯水槽からなる給水装置は、ポンプ本体を少なくとも一つの貯水槽の内部に設けている。前記ポンプは、貯水槽の内部に設けられている分、前記貯水槽の外部におけるスペースを少なくすることができる。
【００２５】
（第５発明）
第５発明の複数の貯水槽からなる給水装置は、ポンプ本体を前記貯水槽の一側外面に設けている。第５発明は、前記貯水槽の外部におけるスペースに余裕がある場合であり、ポンプを収納するポンプ収納部を貯水槽内に設ける必要がない。
【００２６】
（第６発明）
第６発明の複数の貯水槽からなる給水装置は、前記本管と給水管との配置を平面で対角に配置している。すなわち、前記直線状本管は、それぞれの貯水槽における一側面の内側下面近傍に設けるとともに、前記給水管を前記一側面と反対側の他側面の上面近傍に設けられている。前記本管と給水管との配置は、貯水槽内における、いわゆる死水（滞留した水）を無くすことができる。
【００２７】
（第７発明）
第７発明の複数の貯水槽からなる給水装置は、直線状本管と給水管の位置が第６発明と反対になっている点でのみ第６発明と異なっている。
【００２８】
（第８発明）
第８発明の複数の貯水槽からなる給水装置は、開閉操作弁および給水口の位置が貯水槽内において、立体的な対角関係に配置されている。すなわち、前記開閉操作弁と給水口とは、前記貯水槽内において、一番遠い位置に配置されているため、水の循環が上手にでき、死水を無くすための優れた構造となっている。
【実施例１】
【００２９】
図１（イ）から（ハ）は本発明の第１実施例を説明するための概略概念図で、（イ）は複数の貯水槽からなる給水装置の平面図、（ロ）は正面図、（ハ）は背面図である。図１（イ）から（ハ）において、貯水槽１１は、貯水部１１１、１１２、、１１３が隔壁１２および１３によって分割した構造になっている。前記貯水槽１１には、水が給水管１４の給水口１４１、１４２、１４３から各貯水部１１１、１１２、１１３に給水される。本管１５は、両端が塞がれており、一本の直管から構成されているとともに、前記隔壁１２、１３のシール部１２１、１３１を介して貫通している。
【００３０】
また、前記本管１５は、貯水部１１１、１１２、１１３において、開閉操作弁１６、１７、１８が設けられており、前記開閉操作弁１６、１７、１８が開閉操作杆１６１、１７１、１８１によって、貯水槽１１の外部側面（正面）において操作できるようになっている。さらに、前記開閉操作杆１６１、１７１、１８１は、貯水槽１１の外部側面において、操作できる操作ハンドル１６２、１７２、１８２と連設されている。前記操作ハンドル１６２、１７２、１８２は、透明ボックス２１、２２、２３の内部に設けられている。前記透明ボックス２１、２２、２３は、同じく透明な部材から構成されている開閉蓋２１１、２２１、２３１が設けられている。なお、図１（イ）から（ハ）は、隔壁１２、１３、本管１５、開閉操作杆１６１、１７１、１８１が単に直線によって示されている。
【００３１】
前記透明ボックス２１、２２、２３は、前記操作ハンドル１６２、１７２、１８２の操作位置を判り易くするために目盛２１２、２２２、２３２を設けておくことができる。前記目盛２１２、２２２、２３２と操作ハンドル１６２、１７２、１８２の位置関係を点検することにより、開閉操作弁１６、１７、１８の開閉状態を点検し易くなっている。
【００３２】
前記貯水部１１２には、ポンプ収納部１９が設けられており、ポンプ２０が配置されている。前記ポンプ２０は、図示されていない制御装置により、本管１５の同じく図示されていない開閉弁を介して給水を可能にしている。なお、前記貯水部１１１、１１２、１１３の底部には、図示されていないドレインが設けられ、必要に応じて、独自に排水を行うことができ、一つ一つの貯水部１１１、１１２、１１３の清掃が容易にできるようになっている。
【実施例２】
【００３３】
図２は本発明の第２実施例を説明するための概略概念図で、複数の貯水槽からなる給水装置の平面図である。図２における第２実施例は、給水口１４１、１４２、１４３、および本管１５の配置が第１実施例と異なっている点と、ポンプ２０が透明ボックス２１、２２、２３と同じ側に設けられている点である。給水口１４１、１４２、１４３と本管１５は、平面図において、第１実施例と反対側にそれぞれ配置されている。第１実施例および第２実施例は、図１および図２に示すように配置することで、給水口と吸水部との距離を大きく離すことで、死水（滞留水）を無くし、貯水槽の水が平均して送水されるようになっている。
【００３４】
第２実施例は、本管１５と透明ボックス２１、２２、２３の距離を短くしたため、ポンプ２０を貯水槽１１の外部に設けている。第２実施例は、貯水部１１２の構造が簡単であるとともに、開閉操作杆１６１、１７１、１８１の長さを短くすることができる。しかし、ポンプ２０は、貯水槽１１の外部に設けられるため、貯水槽１１を設置する面積が大きくなる場合がある。第１実施例および第２実施例は、複数の貯水槽からなる給水装置の構造と設置場所の問題を考慮していずれかに決めることができる。
【産業上の利用可能性】
【００３５】
以上、本発明の実施例を詳述したが、本発明は、前記実施例に限定されるものではなく、特許請求の範囲に記載された事項を逸脱することがなければ、種々の設計変更を行うことが可能である。本実施例に記載されている開閉操作弁、ポンプ等、透明ボックスの材質等は、周知または公知のものを使用することができる。また、給水および吸水制御は、同様に、周知または公知の回路を使用することができる。
【図面の簡単な説明】
【００３６】
【図１】（イ）から（ハ）は本発明の第１実施例を説明するための概略概念図で、（イ）は複数の貯水槽からなる給水装置の平面図、（ロ）は正面図、（ハ）は背面図である。（実施例１）
【図２】本発明の第２実施例を説明するための概略概念図で、複数の貯水槽からなる給水装置の平面図である。（実施例２）
【符号の説明】
【００３７】
１１・・・貯水槽
１１１、１１２、１１３・・・貯水部
１２、１３・・・隔壁
１２１、１３１・・・シール部
１４・・・給水管
１４１、１４２、１４３・・・給水口
１５・・・本管
１６から１８・・・開閉操作弁
１６１、１７１、１８１・・・開閉操作杆
１６２、１７２、１８２・・・操作ハンドル
１９・・・ポンプ収納部
２０・・・ポンプ
２１、２２、２３・・・透明ボックス
２１１、２２１、２３１・・・開閉蓋
２１２、２２２、２３２・・・目盛
【図１】
0004516903.tif 000002
【図２】
0004516903.tif 000003